(57)【要約】【課題】無線ＬＡＮモジュールが外付け可能な又は無線ＬＡＮモジュールが内蔵されている電子機器であって、通信に問題があったかを事後的に容易に検証できる電子機器を提供する。【解決手段】無線ＬＡＮモジュールが外付け可能な又は無線ＬＡＮモジュールが内蔵されている電子機器であって、前記無線ＬＡＮモジュールと無線ＬＡＮアクセスポイントとの間での無線ＬＡＮの接続状況に所定の変化があったときに、その変化に関する時間情報及び内容情報を記録する記録部（例えば不揮発性メモリ７）を備える電子機器。【選択図】図１
2012049766.tif 000002
【特許請求の範囲】
【請求項１】
無線ＬＡＮモジュールが外付け可能な又は無線ＬＡＮモジュールが内蔵されている電子機器であって、
前記無線ＬＡＮモジュールと無線ＬＡＮアクセスポイントとの間での無線ＬＡＮの接続状況に所定の変化があったときに、その変化に関する時間情報及び内容情報を記録する記録部を備えることを特徴とする電子機器。
【請求項２】
前記所定の変化は、前記無線ＬＡＮモジュールと前記無線ＬＡＮアクセスポイントとの間での無線ＬＡＮが接続状態から切断状態に変化する変化を含んでいることを特徴とする請求項１に記載の電子機器。
【請求項３】
前記所定の変化は、前記無線ＬＡＮモジュールと前記無線ＬＡＮアクセスポイントとの間での無線ＬＡＮが切断状態から接続状態に変化する変化を更に含んでいることを特徴とする請求項２に記載の電子機器。
【請求項４】
前記所定の変化は、前記無線ＬＡＮモジュールによって受信されている受信信号が一定の強度以上から前記一定の強度未満に変化する変化、及び、前記無線ＬＡＮモジュールによって受信されている受信信号が前記一定の強度未満から前記一定の強度以上に変化する変化を更に含んでいることを特徴とする請求項２または請求項３に記載の電子機器。
【請求項５】
前記無線ＬＡＮモジュールが受信した受信信号に基づいて、映像音声のストリーミング再生を行う映像音声処理部と、
前記ストリーミング再生に問題が発生していないかを監視する監視部と、
前記ストリーミング再生に問題が発生した場合に、前記ストリーミング再生に問題が発生したことに関する情報を記録する情報記録部とを備える請求項１〜４のいずれか１項に記載の電子機器。
【発明の詳細な説明】
【技術分野】
【０００１】
本発明は、電子機器に関し、特に無線ＬＡＮモジュールが外付け可能な又は無線ＬＡＮモジュールが内蔵されている電子機器に関する。
【背景技術】
【０００２】
近年、アクトビラ（登録商標）対応のテレビ受像機を始め種々のネットワーク対応の電子機器が市場に出回っている。このようなネットワーク対応の電子機器は、有線ＬＡＮ（Local Area Network）を利用するタイプのものと、無線ＬＡＮを利用するタイプのものとに大別することができる。
【先行技術文献】
【特許文献】
【０００３】
【特許文献１】特開２００８−２８８７１９号公報（段落００８４、００８５）
【特許文献２】特開２００８−０４７９５６号公報（段落００２４、第３図）
【特許文献３】特開２００６−０９３９２６号公報（段落００２４）
【特許文献４】特開２００５−１０９９０１号公報（段落００３４）
【特許文献５】特表２００３−５１１９０１号公報（段落００２４）
【発明の概要】
【発明が解決しようとする課題】
【０００４】
無線ＬＡＮを利用するタイプのネットワーク対応の電子機器は、有線ＬＡＮを利用するタイプのネットワーク対応の電子機器に比べて通信が不安定であるため、通信に問題があったかを事後的に容易に検証できる構成であることが望ましい。例えば、無線ＬＡＮを利用するタイプのネットワーク対応の電子機器に対して工場出荷前に長期エージング試験を行う場合、通信に問題があったかを事後的に容易に検証できる構成であれば、長期エージング試験の結果を解析する作業が楽になる。
【０００５】
なお、特許文献１で提案されている無線通信装置は、以前のＢＡ７０（受信データの一つ）の受信成功率、又は、過去所定期間におけるＢＡ７０の受信成功率を記憶する構成であり、いつ通信に問題があったかを事後的に容易に検証できる構成ではない。
【０００６】
また、特許文献２で提案されている通信装置は、通信インタフェースが受信した信号の強度が閾値以下の時間を、非伝送時間として計測する構成であり、いつ通信に問題があったか（例えば、いつ通信インタフェースが受信した信号の強度が閾値より大きい状態から閾値以下の状態に変化したのか）を事後的に容易に検証できる構成ではない。
【０００７】
また、特許文献３で提案されている無線ネットワーク接続機器特定方法は、時間と受信強度の履歴を単純に記憶しているだけであり、通信に問題がないときのデータも履歴に残ることになるので、いつ通信に問題があったかを事後的に容易に検証することができない。
【０００８】
また、特許文献４で提案されている無線ＬＡＮ装置は、接続履歴情報を単純に記憶しているだけであり、通信に問題がないときのデータも履歴に残る構成であるので、いつ通信に問題があったかを事後的に容易に検証する構成ではない。
【０００９】
また、特許文献５には、電源入履歴に加えて、信号強度を考慮することが有益であることが記載されているが、信号強度をどのように考慮するかについては記載されておらず、いつ通信に問題があったかを事後的に容易に検証する構成は開示されていない。
【００１０】
本発明は、上記の状況に鑑み、無線ＬＡＮモジュールが外付け可能な又は無線ＬＡＮモジュールが内蔵されている電子機器であって、通信に問題があったかを事後的に容易に検証できる電子機器を提供することを目的とする。
【課題を解決するための手段】
【００１１】
上記目的を達成するために本発明に係る電子機器は、無線ＬＡＮモジュールが外付け可能な又は無線ＬＡＮモジュールが内蔵されている電子機器であって、前記無線ＬＡＮモジュールと無線ＬＡＮアクセスポイントとの間での無線ＬＡＮの接続状況に所定の変化があったときに、その変化に関する時間情報及び内容情報を記録する記録部を備える構成とする。
【００１２】
このような構成によると、無線ＬＡＮモジュールと無線ＬＡＮアクセスポイントとの間での無線ＬＡＮの接続状況に所定の変化があったときに、その変化に関する時間情報及び内容情報が記録されるので、その記録内容を出力することによって通信に問題があったかを事後的に検証できる。また、無線ＬＡＮモジュールと無線ＬＡＮアクセスポイントとの間での無線ＬＡＮの接続状況に所定の変化がない場合のデータは記録されないので、上記の検証が容易になる。
【００１３】
また、前記所定の変化は、前記無線ＬＡＮモジュールと前記無線ＬＡＮアクセスポイントとの間での無線ＬＡＮが接続状態から切断状態に変化する変化を含んでいることが望ましい。これにより、無線ＬＡＮの接続状況の最も深刻な問題を把握することが可能となる。
【００１４】
また、前記所定の変化は、前記無線ＬＡＮモジュールと前記無線ＬＡＮアクセスポイントとの間での無線ＬＡＮが切断状態から接続状態に変化する変化を更に含んでいることが望ましい。これにより、切断状態がどの程度続いたのかを把握することが可能となる。
【００１５】
また、前記所定の変化は、前記無線ＬＡＮモジュールによって受信されている受信信号が一定の強度以上から前記一定の強度未満に変化する変化、及び、前記無線ＬＡＮモジュールによって受信されている受信信号が前記一定の強度未満から前記一定の強度以上に変化する変化を更に含んでいるようにしてもよい。
【００１６】
また、前記無線ＬＡＮモジュールが受信した受信信号に基づいて、映像音声のストリーミング再生を行う映像音声処理部と、前記ストリーミング再生に問題が発生していないかを監視する監視部と、前記ストリーミング再生に問題が発生した場合に、前記ストリーミング再生に問題が発生したことに関する情報を記録する情報記録部とを備えるようにしてもよい。このような構成において、前記記録部と前記情報記録部とは同一のメモリであってもよく、異なるメモリであってもよい。
【発明の効果】
【００１７】
本発明に係る電子機器によると、無線ＬＡＮモジュールと無線ＬＡＮアクセスポイントとの間での無線ＬＡＮの接続状況に所定の変化があったときに、その変化に関する時間情報及び内容情報が記録されるので、その記録内容を出力することによって通信に問題があったかを事後的に検証できる。また、無線ＬＡＮモジュールと無線ＬＡＮアクセスポイントとの間での無線ＬＡＮの接続状況に所定の変化がない場合のデータは記録されないので、上記の検証が容易になる。
【図面の簡単な説明】
【００１８】
【図１】本発明に係る電子機器の一概略構成例を示す図である。
【図２】図１に示す電子機器の無線ＬＡＮ接続状況記録モードでの動作を示すフローチャートである。
【図３】本発明に係る電子機器の他の概略構成例を示す図である。
【図４】本発明に係る電子機器の更に他の概略構成例を示す図である。
【発明を実施するための形態】
【００１９】
本発明の実施形態について図面を参照して以下に説明する。本発明に係る電子機器の一概略構成例を図１に示す。
【００２０】
図１に示す電子機器は、ＤＶＤレコーダであって、チューナ１と、映像音声処理部２と、ＯＳＤ（On Screen Display）部３と、出力部４と、ＤＶＤ記録再生部５と、制御部６と、不揮発性メモリ７と、受光部８と、ＵＳＢ（Universal Serial Bus）インタフェース９とを備えている。なお、制御部６には例えばＣＰＵを用いるとよい。また、制御部６は、カレンダー機能及び時計機能を有している。
【００２１】
チューナ１は、アンテナ１０から受け取ったテレビ放送信号の選局及び復調（例えばＯＦＤＭ（Orthogonal Frequency Division Multiplexing）復調）を行う。映像音声処理部２は、チューナ１から受け取った映像音声信号又はＤＶＤ記録再生部５で再生された映像音声信号を出力部４に送ったり、チューナ１から受け取った映像音声信号を光ディスク記録再生部５に送ったり、無線ＬＡＮモジュール１１を利用して、ＵＳＢインタフェース９が受け取るストリーミング映像音声信号を出力部４に送ったりする。ＯＳＤ部３は、制御部６からの指示に基づいて生成したＯＳＤ画像データを出力部４に送る。出力部４は、映像音声処理部２から受け取った映像信号とＯＳＤ部３から受け取ったＯＳＤ画像データとを合成した合成映像信号を外部に出力したり、上記合成処理を行わず映像音声処理部２から受け取った映像信号をそのまま外部に出力したり、上記合成処理を行わずＯＳＤ部３から受け取ったＯＳＤ画像データをそのまま外部に出力したり、映像音声処理部２から受け取った音声信号を外部に出力したりする。出力部４の出力信号は、図１に示す電子機器に接続されるテレビ受像機（不図示）に送出される。図１に示す電子機器に接続されるテレビ受像機は、出力部４の出力信号に基づく映像表示および音声出力を行う。
【００２２】
ＤＶＤ記録再生部５は、映像音声処理部２から受け取った映像音声信号を光ディスクに記録したり、光ディスクに記録されている映像音声信号を再生したりする。なお、光ディスクは、ＤＶＤ記録再生部５に対して着脱自在に装着される。また、ＤＶＤ記録再生部５は、ＤＶＤ以外にＣＤにも対応しており、光ディスクが装着されると光ディスクの種類の判別を行い、判別結果に応じた再生あるいは記録を行う。
【００２３】
受光部８は、リモコン送信機（不図示）から送信されたリモコン赤外線信号を受光して電気信号に変換し、さらにその電気信号から操作コードを抽出して制御部６に出力する。制御部６は、不揮発性メモリ７に格納されている制御プログラム及び各種設定（例えば、各操作コードと各機能との対応関係を示すデータテーブル等）と、受光部８から受け取った操作コードと、図１に示す電子機器の本体に設けられている操作キー群（不図示）から出力される信号によって定まる操作コードとに応じて、図１に示す電子機器の各部を制御する。
【００２４】
ＵＳＢデバイスの一種である無線ＬＡＮモジュール１１は、ＵＳＢ端子（不図示）を有しており、ＵＳＢインタフェース９に対して着脱自在に装着される。ＵＳＢインタフェース９に無線ＬＡＮモジュール１１が装着されると、制御部６は、不揮発性メモリ７に予め記憶されている無線ＬＡＮモジュール用ドライバを用いて、無線ＬＡＮモジュール１１を動作させる。無線ＬＡＮモジュール１１は、ネットワークに接続された無線ＬＡＮアクセスポイント（不図示）を介して容易にインターネットに接続することができる。
【００２５】
以上のような構成である図１に示す電子機器の無線ＬＡＮ接続状況記録モードでの動作動作について図２に示すフローチャートを参照して説明する。
【００２６】
無線ＬＡＮモジュール１１が外付けされている状態（ＵＳＢインタフェース９に無線ＬＡＮモジュール１１が装着されている状態）の図１に示す電子機器において、無線ＬＡＮ接続状況記録モードが起動すると、図２のフローチャート動作が開始する。
【００２７】
無線ＬＡＮ接続状況記録モードの起動は、例えば、リモコン送信機（不図示）の特殊キー操作（ユーザーマニュアル等に記載されていないキー操作）によって実行されるようにし、工場出荷前の長期エージング試験（例えば一晩のエージング試験）の開始時に実行されるようにするとよい。
【００２８】
また、例えば、図１に示す電子機器が電源オン状態でＵＳＢインタフェース９に無線ＬＡＮモジュール１１が装着されたとき、又は、ＵＳＢインタフェース９に無線ＬＡＮモジュール１１が装着されている図１に示す電子機器が電源オン状態になったとき、自動的に無線ＬＡＮ接続状況記録モードが起動するようにしてもよい。このように自動的に無線ＬＡＮ接続状況記録モードが起動する構成とした場合、ユーザーが使用しているときにも無線ＬＡＮ接続状況記録モードになり、上述した長期エージング試験よりも長い期間無線ＬＡＮ接続状況記録モードになるので、後述するステップＳ７０の記録はリングバッファ的に行い、当該記録に費やすメモリ容量が過大にならないようにすることが望ましい。
【００２９】
まずステップＳ１０において、制御部６は、無線ＬＡＮモジュール１１と無線ＬＡＮアクセスポイント（不図示）との間での無線ＬＡＮが接続状態であるか否かを判定する。無線ＬＡＮが接続状態であれば（ステップＳ１０のＹＥＳ）、ステップＳ２０に移行する。一方、無線ＬＡＮが接続状態でなければ（ステップＳ１０のＮＯ）、ステップＳ６０に移行する。
【００３０】
ステップＳ２０に移行した時点から、制御部６は、無線ＬＡＮモジュール１１と無線ＬＡＮアクセスポイント（不図示）との間での無線ＬＡＮが接続状態から切断状態に変化するかを監視する。無線ＬＡＮが接続状態から切断状態に変化すれば（ステップＳ２０のＹＥＳ）、直ちにステップＳ７０に移行し、無線ＬＡＮが接続状態から切断状態に変化した日時と状態変化の内容（無線ＬＡＮが接続状態から切断状態に変化したこと）とを関連付けて不揮発性メモリ７に記録し、その後ステップＳ８０に移行する。一方、ステップＳ２０に移行した時点から所定期間が経過しても無線ＬＡＮが接続状態から切断状態に変化しなければ（ステップＳ３０のＮＯ）、ステップＳ３０に移行する。
【００３１】
ステップＳ３０において、制御部６は、無線ＬＡＮモジュール１１によって受信されている受信信号が一定の強度以上であるか否かを判定する。受信信号が一定の強度以上であれば（ステップＳ３０のＹＥＳ）、ステップＳ４０に移行する。一方、受信信号が一定の強度以上でなければ（ステップＳ３０のＮＯ）、ステップＳ５０に移行する。
【００３２】
ステップＳ４０に移行した時点から、制御部６は、無線ＬＡＮモジュール１１によって受信されている受信信号が一定の強度以上から一定の強度未満に変化するかを監視する。受信信号が一定の強度以上から一定の強度未満に変化すれば（ステップＳ４０のＹＥＳ）、直ちにステップＳ７０に移行し、受信信号が一定の強度以上から一定の強度未満に変化した日時と状態変化の内容（受信信号が一定の強度以上から一定の強度未満に変化したこと）とを関連付けて不揮発性メモリ７に記録し、その後ステップＳ８０に移行する。一方、ステップＳ４０に移行した時点から所定期間が経過しても受信信号が一定の強度以上から一定の強度未満に変化しなければ（ステップＳ４０のＮＯ）、直接ステップＳ８０に移行する。
【００３３】
また、ステップＳ５０に移行した時点から、制御部６は、無線ＬＡＮモジュール１１によって受信されている受信信号が一定の強度未満から一定の強度以上に変化するかを監視する。受信信号が一定の強度未満から一定の強度以上に変化すれば（ステップＳ５０のＹＥＳ）、直ちにステップＳ７０に移行し、受信信号が一定の強度未満から一定の強度以上に変化した日時と状態変化の内容（受信信号が一定の強度未満から一定の強度以上に変化したこと）とを関連付けて不揮発性メモリ７に記録し、その後ステップＳ８０に移行する。一方、ステップＳ５０に移行した時点から所定期間が経過しても受信信号が一定の強度未満から一定の強度以上に変化しなければ（ステップＳ５０のＮＯ）、直接ステップＳ８０に移行する。
【００３４】
また、ステップＳ６０に移行した時点から、制御部６は、無線ＬＡＮモジュール１１と無線ＬＡＮアクセスポイント（不図示）との間での無線ＬＡＮが切断状態から接続状態に変化するかを監視する。無線ＬＡＮが切断状態から接続状態に変化すれば（ステップＳ６０のＹＥＳ）、直ちにステップＳ７０に移行し、無線ＬＡＮが切断状態から接続状態に変化した日時と状態変化の内容（無線ＬＡＮが切断状態から接続状態に変化したこと）とを関連付けて不揮発性メモリ７に記録し、その後ステップＳ８０に移行する。一方、ステップＳ６０に移行した時点から所定期間が経過しても無線ＬＡＮが切断状態から接続状態に変化しなければ（ステップＳ６０のＮＯ）、直接ステップＳ８０に移行する。
【００３５】
制御部６は、リモコン送信機（不図示）及び図１に示す電子機器の本体に設けられている操作キー群（不図示）の操作内容を監視しており、ステップＳ８０において、監視結果に基づいて、無線ＬＡＮ接続状況の履歴出力が要求されたか否かを判定する。無線ＬＡＮ接続状況の履歴出力が要求されていなければ（ステップＳ８０のＮＯ）、ステップＳ１０に戻る。一方、無線ＬＡＮ接続状況の履歴出力が要求されていれば（ステップＳ８０のＹＥＳ）、ステップＳ７０において記録されたデータが出力される（ステップＳ９０）。出力形式としては、例えば、ステップＳ７０において記録されたデータの一覧を表示するためのＯＳＤ画像データを出力部４に接続されるテレビ受像機（不図示）やモニタ（不図示）に出力する形式が考えられる。また、例えば、ＵＳＢインタフェース９に装着するＵＳＢデバイスを無線ＬＡＮモジュール１１からＵＳＢメモリ（不図示）に変更し、ステップＳ７０において記録されたデータの一覧をテキストデータの形式で当該ＵＳＢメモリ（不図示）に出力する形式も考えられる。
【００３６】
以上のような動作により、無線ＬＡＮモジュール１１と無線ＬＡＮアクセスポイント（不図示）との間での無線ＬＡＮの接続状況に所定の変化があったときに、その変化が起こった日時とその変化の内容が記録され、その記録内容を出力することができるので、通信に問題があったかを事後的に検証できる。また、無線ＬＡＮモジュール１１と無線ＬＡＮアクセスポイント（不図示）との間での無線ＬＡＮの接続状況に所定の変化がない場合のデータは記録されないので、上記の検証が容易になる。
【００３７】
以上、本発明に係る実施形態について説明したが、本発明の範囲はこれに限定されるものではなく、発明の主旨を逸脱しない範囲で種々の変更を加えて実行することができる。
【００３８】
例えば、図１に示す電子機器では、図１に示す電子機器に無線ＬＡＮモジュール１１が外付けされる形態であったが、図３に示す電子機器のように、本発明に係る電子機器が無線ＬＡＮモジュールを内蔵する形態であっても良い。なお、当然のことであるが、図３に示す電子機器が内蔵している無線ＬＡＮモジュール１１は、図１に示す電子機器に外付けされる無線ＬＡＮモジュール１１とは異なり、ＵＳＢ端子を有さない構成である。
【００３９】
また、例えば、図１に示す電子機器は、不揮発性メモリ７が無線ＬＡＮモジュール用ドライバを記憶している構成であったが、図４に示す電子機器のように、本発明に係る電子機器に設けられる記憶手段は無線ＬＡＮモジュール用ドライバを記憶しないようにし、無線ＬＡＮモジュールに設けられる記憶手段が無線ＬＡＮモジュール用ドライバを記憶するようにしてもよい。なお、図４において、無線ＬＡＮモジュール１１に設けられる記憶手段そのものの図示は省略している。
【００４０】
また、図１に示す電子機器では、制御部６がカレンダー機能及び時計機能を有していたので、無線ＬＡＮモジュール１１と無線ＬＡＮアクセスポイント（不図示）との間での無線ＬＡＮの接続状況に所定の変化が起こった日時を把握することができたが、本発明に係る電子機器が、レンダー機能及び時計機能を有していないＤＶＤプレーヤー等である場合には、無線ＬＡＮモジュール１１と無線ＬＡＮアクセスポイント（不図示）との間での無線ＬＡＮの接続状況に所定の変化が起こった日時を把握することができないので、無線ＬＡＮモジュール１１と無線ＬＡＮアクセスポイント（不図示）との間での無線ＬＡＮの接続状況に所定の変化が起こった日時を記録する代わりに、無線ＬＡＮ接続状況記録モードの起動時から無線ＬＡＮモジュール１１と無線ＬＡＮアクセスポイント（不図示）との間での無線ＬＡＮの接続状況に所定の変化が起こった時点までの経過時間を記録するようにすればよい。当該経過時間は電子機器が一般的に備えているカウンタ等を利用することで容易に計測することができる。
【００４１】
また、図１に示す電子機器では、無線ＬＡＮモジュール１１と無線ＬＡＮアクセスポイント（不図示）との間での無線ＬＡＮの接続状況に所定の変化が起こったことに関する情報が記録されているが、これに加えて、例えば工場出荷前の長期エージング試験において、無線ＬＡＮモジュール１１が受信した受信信号に基づいて、映像音声処理部２が映像音声のストリーミング再生を行うようにし、制御部６が当該ストリーミング再生に問題が発生していないかを監視し、当該ストリーミング再生に問題が発生した場合に、当該ストリーミング再生に問題（例えば動画の一時的なフリーズ等）が発生したことに関する情報を不揮発性メモリ７又は不揮発性メモリ７以外のメモリ（不図示）に記録するようにしてもよい。
【００４２】
本発明は、ＤＶＤレコーダーやＤＶＤプレーヤーに限定されることはなく、無線ＬＡＮモジュールが外付け可能な又は無線ＬＡＮモジュールが内蔵されているネットワーク対応の各種電子機器（例えば、ゲーム機、パーソナルコンピュータ、テレビ受像機、セット・トップ・ボックス等）に適用することができる。また、無線ＬＡＮモジュールが外付け可能な電子機器である場合、無線ＬＡＮモジュールと電子機器との接続は、ＵＳＢ接続に限定されることはなく、どのような種類のコネクタを用いる形態であってもよい。
【符号の説明】
【００４３】
１  チューナ
２  映像音声処理部
３  ＯＳＤ部
４  出力部
５  ＤＶＤ記録再生部
６  制御部
７  不揮発性メモリ
８  受光部
９  ＵＳＢインタフェース
１０  アンテナ
１１  無線ＬＡＮモジュール
【図１】
2012049766.tif 000003
【図２】
2012049766.tif 000004
【図３】
2012049766.tif 000005
【図４】
2012049766.tif 000006